(57)【要約】【課題】  鳥害防止効果を大きくとることができるとともに、電線に対する取付け作業および保守点検作業が容易となり、かつ構造も簡単で製造が容易になるとともにコストダウンを図ることができる鳥害用防護管を提供すること。【解決手段】  内管１３と外管１４を有する二重管構造となっており、内管１３と外管１４の間には臭気剤が添加された中間層１８が介在され、外管１４には、前記臭気剤の臭いを放出させ、かつ臭気剤を前記中間層１８に補充するための複数の穴１９が穿設される【選択図】      図１
2006340670.tif 000002
【特許請求の範囲】
【請求項１】
内管と外管を有する二重管構造となっており、内管と外管の間には臭気剤が添加された中間層が介在され、外管には、前記臭気剤の臭いを放出させ、かつ臭気剤を前記中間層に補充するための複数の穴が穿設されたことを特徴とする鳥害用防護管。
【請求項２】
前記中間層は、液状の臭気剤をしみ込ませることが可能な材質からなることを特徴とする請求項１に記載の鳥害用防護管。
【請求項３】
前記臭気剤は竹酢液であることを特徴とする請求項１または２に記載の鳥害用防護管。
【発明の詳細な説明】
【技術分野】
【０００１】
本発明は、電線に被せて鳥害を防止する鳥害用防護管に関する。
【背景技術】
【０００２】
一部の地域において、夕方になると鳥が大挙して飛来し電線に止まり、集団で鳴き、騒音に悩まされるという被害が発生している。また、電線に多数の鳥が止まると、鳴き声だけでなく、多量の糞を道路上に落して道路を汚し美観を損ねるばかりか、糞がほこりとなって舞い上がり人が吸い疾病の原因にもなっている。
【０００３】
そこで、これらの鳥害を防止するため、電線に被せて鳥が電線に止まらなくする鳥害用防護管が使用されている。
【０００４】
従来、鳥害用防護管としては、特許文献１に開示されるように、鳥が止まるとその重さで防護管が回転し驚いて鳥が飛び去るものや、特許文献２に開示されるように防護管にワイヤを張設して、そのワイヤを鳥が嫌うことから鳥が止まらなくなるものがある。また、特許文献３に開示されるように、電線に、鳥が嫌う粘着剤を塗布したスパイラルロッドを螺旋状に装着して、鳥が電線に近付かないようにすることも行われている。
【特許文献１】特開平１０−１７９００７号公報
【特許文献２】特開２０００−１３４７７７号公報
【特許文献３】特開２００２−１４２６５３号公報
【発明の開示】
【発明が解決しようとする課題】
【０００５】
しかし、防護管の回転を利用するものは、鳥が止まってもバランスがとれて防護管が回転しないことが多く、鳥害防止の効果を多く期待できないという問題点があった。また、防護管にワイヤを張設する方法では、ワイヤを張設するために複数の支持杆を防護菅に立てなければならないので構造が複雑になり、製造が面倒であるとともにコスト高になるという問題点があった。さらに、防護管にワイヤを張設する方法では、そのワイヤが常に鳥が止まる電線の上側に位置しなければならないので、電線に対して防護管を固定する必要があり、電線に対する防護管の取付け作業が面倒になるという問題点もあった。さらに、粘着剤を塗布したスパイラルロッドを電線に装着する方法では、粘着剤が常に風雨に晒されるため寿命が短く、すぐに効果が薄れるとともに、粘着剤の粘性が失われたときのスパイラルロッドの交換作業が面倒で、保守点検作業に手間がかかるという問題点があった。
【０００６】
本発明は上記の点に鑑みなされたもので、鳥害防止効果を大きくとることができるとともに、電線に対する取付け作業および保守点検作業が容易となり、かつ構造も簡単で製造が容易になるとともにコストダウンを図ることができる鳥害用防護管を提供することを目的とする。
【課題を解決するための手段】
【０００７】
本発明の鳥害用防護管は、内管と外管を有する二重管構造となっており、内管と外管の間には臭気剤が添加された中間層が介在され、外管には、前記臭気剤の臭いを放出させ、かつ臭気剤を前記中間層に補充するための複数の穴が穿設されたことを特徴とする。
【０００８】
前記中間層は、具体的には、液状の臭気剤をしみ込ませることが可能な材質からなる。臭気剤は竹酢液であることが好ましい。
【発明の効果】
【０００９】
上記のような本発明の鳥害用防護管は、臭気剤の臭いにより鳥が止まることを防止して鳥害防止効果を大きくとることができる。また、臭気剤は、外管と内管との間に介在された中間層に添加されて風雨に晒されることがないから、臭いの効果を長く保つことができる。さらに、臭いの効果が切れたら外管に形成された穴から臭気剤を中間層に補充するだけで継続して使用できる。したがって、保守点検作業が容易になる。さらに、外管に形成された穴は鳥が止まる上部に位置することが好ましいが、上部からずれても臭気剤の臭いが管の周囲に漂うから管を電線に固定する必要がなく、電線に対する取付け作業も容易になる。さらに、構造が簡単で、製造が容易になるとともにコストダウンを図ることができる。
【発明を実施するための最良の形態】
【００１０】
次に添付図面を参照して本発明による鳥害用防護管の実施形態を詳細に説明する。図２は本発明の鳥害用防護管の実施形態を示す側面図である。この実施形態の鳥害用防護管は、長さ３ｍ程度の所定の径の管本体１１と、その管本体１１の両端部に設けられた一対の接続部１２１，１２２とを有する。管本体１１と一対の接続部１２１，１２２は、ポリエチレン等の合成樹脂からなる。また、一対の接続部１２１，１２２は、一方側１２１が雌型、他方側１２２が雄型で、複数の鳥害用防護管を直列に連結するために用いられる。
【００１１】
管本体１１は、図１の断面図に示すように二重管構造となっており、内管１３と外管１４とを有する。内管１３と外管１４の下部は、軸方向に沿って２分割されて、電線Ｗに被せるための開閉部１５となっている。この開閉部１５には、分割された内管１３と外管１４の両端部から外側に突出させて、対向する一対の鍔部１６１，１６２が一体に設けられている。このような開閉部１５は、管本体１１両端の一対の接続部１２１，１２２にも設けられる。それにより、管本体１１と接続部１２１，１２２よりなる鳥害用防護管の全体を電線Ｗに被せることができる。また、内管１３の一方側分割端部には、他方側分割端部の内面に重なって逆止弁の作用をする爪１７が設けられる。
【００１２】
このような内管１３と外管１４との間には中間層１８が介在される。この中間層１８は、綿、スポンジ、フェルトなどの材質からなり、液状の臭気剤をしみ込ませることが可能で、液状の臭気剤として竹酢液がしみ込ませてある。竹酢液は、竹を炭にする際にでる煙を冷却して得た液体で、その臭いを鳥が嫌う。
【００１３】
この中間層１８にしみ込ませた竹酢液の臭いが外管１４の周囲に放出されるように、また中間層１８に竹酢液を補充できるように、外管１４には複数の穴１９が穿設される。この実施形態では、外管１４の上部に、円周方向に３個所定間隔に離して穴１９が形成される。また、穴１９は、図３の平面図に示すように、外管１４の軸方向に約１０ｃｍ間隔で複数組設けられる。
【００１４】
このように構成された鳥害用防護管は、鍔部１６１，１６２を有する開閉部１５から電線Ｗを挿入させて、該電線Ｗに被せて使用される。そして、その状態で、中間層１８にしみ込ませた竹酢液の臭いを穴１９から管の周囲に放出する。この竹酢液の臭いを鳥が嫌う。したがって、鳥がこの鳥害用防護管、換言すれば電線Ｗに止まらなくなり、鳥害を防止できる。
【００１５】
そして、このような鳥害用防護管によれば、竹酢液の臭いにより鳥が止まることを防止して鳥害防止効果を大きくとることができる。また、竹酢液は、外管１４と内管１３との間に介在された中間層１８にしみ込ませて風雨に晒されることがないから、臭いの効果を長く保つことができる。さらに、臭いの効果が切れたら外管１４に形成された穴１９から竹酢液を中間層１８に補充するだけで継続して使用できる。したがって、保守点検作業が容易になる。さらに、外管１４に形成された穴１９は鳥が止まる上部に位置することが好ましいが、上部からずれても竹酢液の臭いが管の周囲に漂うから管を電線Ｗに固定する必要がなく、電線Ｗに対する取付け作業も容易になる。さらに、構造が簡単で、製造が容易になるとともにコストを下げることができ、外観も単純な管状で町の美観を損なうことがない。
【００１６】
なお、上記の実施形態では、液状の臭気剤として竹酢液を使用したが、類似の木酢液など、他の液状臭気剤を使用することができる。
【図面の簡単な説明】
【００１７】
【図１】図２の鳥害用防護管の管本体部分の断面図。
【図２】本発明による鳥害用防護管の実施形態を示す側面図。
【図３】図２の鳥害用防護管の管本体部分の平面図。
【符号の説明】
【００１８】
１３  内管
１４  外管
１８  中間層
１９  穴
Ｗ    電線
【図１】
2006340670.tif 000003
【図２】
2006340670.tif 000004
【図３】
2006340670.tif 000005